(57)【要約】【課題】地中の空洞部の一部を塞ぐ隔壁を精度良く形成して充填材が漏出することを防止することができる埋め戻し方法を提供する。【解決手段】埋め戻し方法は、第１工程から第６工程によって地表面Ｇと埋設管ＰＩを貫通する第１メイン連通路１０１、第１内側連通路１０２、第１外側連通路１０３、第２メイン連通路１１１、第２内側連通路１１２および第２外側連通路１１３を形成する。作業者は、第７工程および第８工程において、第１メイン連通路１０１および第２メイン連通路１１１の開口部１０１ａ，１１１ａを挟むように撮像器１２０および照明具１２１を第１内側連通路１０２、第１外側連通路１０３、第２内側連通路１１２および第２外側連通路１１３を介して配置する。次いで、作業者は、第１メイン連通路１０１および第２メイン連通路１１１から供給される隔壁用埋戻し材Ｍ１が埋設管ＰＩの天井部に達したか否かを撮像器１２０による撮像画像で確認する。【選択図】  図１０
2020079507.tif 000002
【特許請求の範囲】
【請求項１】
地中に形成された空洞部内を隔壁で仕切った隔壁内側空間内に埋戻し材を充填して埋め戻す埋め戻し方法であって、
地上から前記隔壁内側空間の外縁部に連通したメイン連通路を形成するメイン連通路形成工程と、
前記メイン連通路に隣接した位置に地上から前記隔壁内側空間内に連通した内側連通路を形成する内側連通路形成工程と、
前記内側連通路に対して前記メイン連通路を介した位置に地上から前記隔壁内側空間の外側の前記空洞部内に連通した外側連通路を形成する外側連通路形成工程と、
前記内側連通路および前記外側連通路のうちの一方を介して前記空洞部内に前記メイン連通路が前記空洞部に開口する開口部分を撮像する撮像器を設けるとともに前記内側連通路および前記外側連通路のうちの他方を介して前記空洞部内に前記開口部分を照らす照明具を設ける撮像器具設置工程と、
前記撮像器および前記照明具を作動させた状態で前記メイン連通路を介して前記空洞部内に前記隔壁を形成するための隔壁用の埋戻し材を注入する隔壁用埋戻し材注入工程と、
前記開口部分が前記隔壁用埋め戻し材によって閉塞されたとき前記隔壁用埋戻し材の注入を中断する注入中断工程と、
前記隔壁で仕切られた前記隔壁内側空間内に埋戻し材を充填する隔壁内側空間埋戻し材注入工程とを含み、
前記注入中断工程は、
前記撮像器による前記開口部分の撮像画像を用いて前記開口部分が前記隔壁用埋め戻し材によって閉塞されたか否かを判断することを特徴とする埋め戻し方法。
【請求項２】
請求項１に記載した埋め戻し方法において、
前記隔壁内側用埋戻し材注入工程は、
前記撮像器または前記照明具を撤去した前記内側連通路を介して前記隔壁内側空間内に埋戻し材を充填することを特徴とする埋め戻し方法。
【請求項３】
請求項１または請求項２に記載した埋め戻し方法において、
前記空洞部は、地中に埋設された埋設管内に形成されており、
前記メイン連通路形成工程、前記内側連通路形成工程、前記外側連通路形成工程、前記撮像器具設置工程、前記隔壁用埋戻し材注入工程および前記注入中断工程は、
前記埋設管における互いに離隔した２つの位置でそれぞれ実行されることで２つの前記隔壁間に前記隔壁内側空間を形成するものであり、
前記隔壁内側用埋戻し材注入工程は、
前記２つの隔壁の形成に用いた前記各内側連通路から前記撮像器または前記照明具をそれぞれ撤去した後、一方の前記内側連通路を介して前記隔壁内側空間内に埋戻し材を充填するとともに他方の前記内側連通路を介して前記隔壁内側空間内の残留物を排出することを特徴とする埋め戻し方法。
【請求項４】
請求項１ないし請求項３のうちのいずれか１つに記載した埋め戻し方法において、
前記隔壁用埋戻し材注入工程は、
前記メイン連通路を介して前記空洞部内の隔壁内側空間内に袋状に形成された隔壁形成袋を配置して同隔壁形成袋内に前記隔壁用埋戻し材を注入することを特徴とする埋め戻し方法。
【請求項５】
請求項４に記載した埋め戻し方法において、
前記隔壁形成袋は、
伸縮性を有するゴム材で構成されていることを特徴とする埋め戻し方法。
【発明の詳細な説明】
【技術分野】
【０００１】
本発明は、地中に形成された空洞部内を隔壁で仕切った隔壁内側空間内に埋戻し材を充填して埋め戻す埋め戻し方法に関する。
【背景技術】
【０００２】
従来から、地中に形成された空洞部内を隔壁で仕切った隔壁内側空間内に埋戻し材を充填して埋め戻す埋め戻し工法が知られている。例えば、下記特許文献１には、地中に形成された空洞部内を複数の外周充填材で仕切った閉鎖空間内に中詰充填材を詰めて埋め戻す埋め戻し工法が開示されている。
【先行技術文献】
【特許文献】
【０００３】
【特許文献１】特開２００２−８１０５４号公報
【０００４】
しかしながら、このような埋め戻し工法においては、外周充填材が空洞部内の天井部分に達した際には外周充填材の供給を停止する必要があるが、この外周充填材が空洞部内の天井部分に達したか否かの判断が困難で空洞部における天井部分の外周充填材による密閉性が不十分な場合があり、閉鎖空間内に注入した中詰充填材が漏出することがあるという問題がある。
【０００５】
本発明は上記問題に対処するためなされたもので、その目的は、地中の空洞部の一部を塞ぐ隔壁を精度良く形成して充填材が漏出することを防止することができる埋め戻し方法を提供することにある。
【発明の概要】
【０００６】
上記目的を達成するため、本発明の特徴は、地中に形成された空洞部内を隔壁で仕切った隔壁内側空間内に埋戻し材を充填して埋め戻す埋め戻し方法であって、地上から隔壁内側空間の外縁部に連通したメイン連通路を形成するメイン連通路形成工程と、メイン連通路に隣接した位置に地上から隔壁内側空間内に連通した内側連通路を形成する内側連通路形成工程と、内側連通路に対してメイン連通路を介した位置に地上から隔壁内側空間の外側の空洞部内に連通した外側連通路を形成する外側連通路形成工程と、内側連通路および外側連通路のうちの一方を介して空洞部内にメイン連通路が空洞部に開口する開口部分を撮像する撮像器を設けるとともに内側連通路および外側連通路のうちの他方を介して空洞部内に開口部分を照らす照明具を設ける撮像器具設置工程と、撮像器および照明具を作動させた状態でメイン連通路を介して空洞部内に隔壁を形成するための隔壁用の埋戻し材を注入する隔壁用埋戻し材注入工程と、前記開口部分が隔壁用埋め戻し材によって閉塞されたとき隔壁用埋戻し材の注入を中断する注入中断工程と、隔壁で仕切られた隔壁内側空間内に埋戻し材を充填する隔壁内側空間埋戻し材注入工程とを含み、注入中断工程は、撮像器による前記開口部分の撮像画像を用いて前記開口部分が隔壁用埋め戻し材によって閉塞されたか否かを判断することにある。
【０００７】
このように構成した本発明の特徴によれば、埋め戻し方法は、空洞部内に隔壁用埋戻し材を注入するメイン連通路に対して隔壁内側空間の内側と外側とにそれぞれ設けた内側連通路および外側連通路をそれぞれ介してメイン連通路が空洞部内に開口する開口部分を撮像するための撮像器および照明具を設置している。これにより、本発明に係る、埋め戻し方法によれば、隔壁用埋戻し材が空洞部におけるメイン連通路の開口部分、すなわち、天井部分に達したか否かを撮像器による撮像画像で確認することができるため、隔壁を精度良く形成して埋戻し材が漏出することを防止することができる。
【０００８】
この場合、空洞部内に注入した隔壁用埋戻し材が空洞部の天井部分に達したか否かは、撮像器による撮像画像で隔壁用埋戻し材の充填状態を直接確認することができる。また、空洞部内に水などの液体または粉塵が充満して濁っている場合には、撮像器に対して開口部を介して対向配置された照明具による光が開口部まで達した隔壁用埋戻し材によって遮られることで隔壁用埋戻し材が空洞部の天井部分に達したか否かを判断することができる。また、隔壁用埋戻し材が空洞部の天井部分に達したか否かは、撮像器による撮像画像を人が直接目視によって確認してもよいし、撮像器による撮像画像をコンピュータによる画像処理によって判断させるようにしてもよい。
【０００９】
また、本発明の他の特徴は、前記埋め戻し方法において、隔壁内側用埋戻し材注入工程は、撮像器または照明具を撤去した内側連通路を介して隔壁内側空間内に埋戻し材を充填することにある。
【００１０】
このように構成した本発明の他の特徴によれば、埋め戻し方法は、撮像器または照明具を撤去した内側連通路を介して隔壁内側空間内に埋戻し材を充填するため、内側連通路を埋戻し材の供給用の通路としても使用して埋戻し材の供給用の通路を形成する作業負担を軽減して作業効率を向上させることができる。
【００１１】
また、本発明の他の特徴は、前記埋め戻し方法において、空洞部は、地中に埋設された埋設管内に形成されており、メイン連通路形成工程、内側連通路形成工程、外側連通路形成工程、撮像器具設置工程、隔壁用埋戻し材注入工程および注入中断工程は、埋設管における互いに離隔した２つの位置でそれぞれ実行されることで２つの隔壁間に隔壁内側空間を形成するものであり、隔壁内側用埋戻し材注入工程は、前記２つの隔壁の形成に用いた各内側連通路から撮像器または照明具をそれぞれ撤去した後、一方の内側連通路を介して隔壁内側空間内に埋戻し材を充填するとともに他方の内側連通路を介して隔壁内側空間内の残留物を排出することにある。
【００１２】
このように構成した本発明の他の特徴によれば、埋め戻し方法は、地中に埋設された埋設管内を隔壁で仕切りながらこの仕切った隔壁内側空間ごとに順次埋戻し材を充填して埋め戻すことができるため、連続して延びる埋設管を精度よく埋め戻すことができる。また、本発明に係る埋め戻し方法は、埋設管における２つの位置に形成した２つの内側連通路のうちの一方を埋戻し材の注入路とするとともに他方を隔壁内側空間内の充填物の排出路としているため、２つの内側連通路を効率的に使用して埋め戻し作業を行うことができる。ここで、隔壁内側空間内の充填物とは、埋設管内に存在している空気などの気体のほか、水などの液体または土などの固体がある。
【００１３】
また、本発明の他の特徴は、前記埋め戻し方法において、隔壁用埋戻し材注入工程は、メイン連通路を介して空洞部内の隔壁内側空間内に袋状に形成された隔壁形成袋を配置して同隔壁形成袋内に隔壁用埋戻し材を注入することにある。
【００１４】
このように構成した本発明の他の特徴によれば、埋め戻し方法は、メイン連通路を介して空洞部内の隔壁内側空間内に袋状に形成された隔壁形成袋を配置して同隔壁形成袋内に隔壁用埋戻し材を注入するため、空洞部内に注入された隔壁用埋戻し材が山状に拡がって積層されることを防止して隔壁を短時間形成することができる。また、本発明に係る埋め戻し方法によれば、埋設管内に水などの液体が充満している場合に空洞部内に隔壁用埋戻し材が注入されることで管内の液体が濁って撮像画像が不鮮明になることを防止することができる。
【００１５】
また、本発明の他の特徴は、前記埋め戻し方法において、隔壁形成袋は、伸縮性を有するゴム材で構成されていることにある。
【００１６】
このように構成した本発明の他の特徴によれば、埋め戻し方法は、隔壁形成袋が伸縮性を有するゴム材で構成されているため、埋設管内の形状に応じて変形して同管内を精度良く塞ぐことができるとともに埋設管の内周面に対して高い摩擦力で接触することで隔壁内側用埋戻し材注入工程時における隔壁の埋設管内での位置ずれを防止することができる。
【図面の簡単な説明】
【００１７】
【図１】本発明に係る埋め戻し方法を実施する施工現場の状態を模式的に示す断面図である。
【図２】本発明に係る埋め戻し方法の作業工程の流れを示した工程フローチャートである。
【図３】本発明に係る埋め戻し方法における第１メイン連通路形成工程の施工状態を模式的に示す断面図である。
【図４】本発明に係る埋め戻し方法における第１内側連通路形成工程の施工状態を模式的に示す断面図である。
【図５】本発明に係る埋め戻し方法における第１外側連通路形成工程の施工状態を模式的に示す断面図である。
【図６】本発明に係る埋め戻し方法における第２メイン連通路形成工程、第２内側連通路形成工程および第２外側連通路形成工程の施工状態を模式的に示す断面図である。
【図７】本発明に係る埋め戻し方法における隔壁用埋戻し材注入工程を実施して第１隔壁を形成する施工状態を模式的に示す断面図である。
【図８】本発明に係る埋め戻し方法における注入中断工程を実施して第１隔壁を形成する施工状態を模式的に示す断面図である。
【図９】本発明に係る埋め戻し方法における隔壁用埋戻し材注入工程および注入中断工程を実施して第２隔壁を形成する施工状態を模式的に示す断面図である。
【図１０】本発明に係る埋め戻し方法における隔壁内側空間埋戻し材注入工程の初期の施工状態を模式的に示す断面図である。
【図１１】本発明に係る埋め戻し方法における隔壁内側空間埋戻し材注入工程の終期の施工状態を模式的に示す断面図である。
【図１２】本発明の変形例に係る埋め戻し方法における隔壁用埋戻し材注入工程および注入中断工程を実施して第１隔壁を形成する施工状態を模式的に示す断面図である。
【図１３】図１２に示す本発明の変形例に係る埋め戻し方法における隔壁用埋戻し材注入工程および注入中断工程を実施して第２隔壁を形成する施工状態を模式的に示す断面図である。
【図１４】図１２に示す本発明に係る埋め戻し方法における隔壁内側空間埋戻し材注入工程の終期の施工状態を模式的に示す断面図である。
【発明を実施するための形態】
【００１８】
以下、本発明に係る埋め戻し方法の一実施形態について図面を参照しながら説明する。図１は、本発明に係る埋め戻し方法を実施する施工現場の状態を模式的に示す断面図である。また、図２は、本発明の一実施形態に係る埋め戻し方法の作業過程を示すフォローチャートである。また、図３〜図１１は、本発明に係る埋め戻し方法を実施する過程で施工現場の状態が変化する様子を模式的に示す断面図である。なお、本明細書において参照する各図は、本発明の理解を容易にするために一部の構成要素を誇張して表わすなど模式的に表している。このため、各構成要素間の寸法や比率などは異なっていることがある。この埋め戻し方法は、地中ＵＧに埋まっている埋設管ＰＩを取り出すことなく埋設管ＰＩ内の空洞部Ｈに埋戻し材Ｍを充填して埋設処理（所謂埋め殺し）するための工法である。
【００１９】
まず、本発明に係る埋め戻し方法を実施する施工現場について説明しておく。この施工現場は、図１に示すように、トンネルのなどの地中構造物の建設現場のほか、住宅地または道路などにおいて、地中ＵＧに廃棄の対象となる金属製やコンクリート製の配管である埋設管ＰＩが埋設された状態で設けられている場所である。この場合、埋設管ＰＩとしては、上水を供給するための給水管や不要な水、汚泥または下水を排水するため排水管がある。本実施形態においては、埋設管ＰＩは、地表面Ｇから５ｍの深さの地中に埋設されているとともに、埋設管ＰＩ内の空洞部Ｈには水が残留物Ｚとして充満している状態を想定している。また、埋設管ＰＩの内径は、本実施形態においては、９００ｍｍである。
【００２０】
（埋め戻し方法の過程）
まず、作業者は、第１工程として、第１メイン連通路１０１を形成する。第１メイン連通路１０１は、図３に示すように、埋設管ＰＩ内の空洞部Ｈにおける隔壁内側空間Ｈ１の外縁部に隔壁用埋戻し材Ｍ１を注入するために地表面Ｇと埋設管ＰＩとの間で連通した貫通孔である。ここで、隔壁内側空間Ｈ１は、埋設管ＰＩ内の空洞部Ｈにおいて互いに離隔する位置に形成された２つの第１隔壁Ｗ１と第２隔壁Ｗ２とで仕切られた空間である。
【００２１】
すなわち、埋設管ＰＩ内の空洞部Ｈにおける隔壁内側空間Ｈ１の外縁部とは、埋設管ＰＩ内の空洞部Ｈにおいて第１隔壁Ｗ１が形成される部分である。この第１メイン連通路１０１は、地中ＵＧに縦穴を掘削する図示しないボーリングマシンを用いて形成した貫通孔内に塩化ビニルなどの樹脂製のパイプ（直径７５ｍｍ）からなる保孔管（図示せず）を挿入して形成される。この第１メイン連通路１０１を形成する工程が、本発明に係るメイン通路形成工程に相当する。
【００２２】
次に、作業者は、第２工程として、第１内側連通路１０２を形成する。第１内側連通路１０２は、図４に示すように、埋設管ＰＩ内における隔壁内側空間Ｈ１内に後述する撮像器１２０を配置するとともに、隔壁内側空間Ｈ１内に埋戻し材Ｍを注入または隔壁内側空間Ｈ１内の残留物Ｚを排出するために地表面Ｇと埋設管ＰＩとの間で連通した貫通孔である。この場合、第１内側連通路１０２は、埋設管ＰＩにおける第１メイン連通路１０１に対して後述する第２メイン連通路１１１側、すなわち、隔壁内側空間Ｈ１が形成される側に形成される。
【００２３】
この第１内側連通路１０２は、地中ＵＧに縦穴を掘削する図示しないボーリングマシンを用いて形成した貫通孔内に塩化ビニルなどの樹脂製のパイプ（直径７５ｍｍ）からなる保孔管（図示せず）を挿入して形成される。この第１内側連通路１０２を形成する工程が、本発明に係る内側通路形成工程に相当する。
【００２４】
次に、作業者は、第３工程として、第１外側連通路１０３を形成する。第１外側連通路１０３は、図５に示すように、埋設管ＰＩ内の空洞部Ｈにおける隔壁内側空間Ｈ１の外側に後述する照明具１２１を配置するために地表面Ｇと埋設管ＰＩとの間で連通した貫通孔である。この場合、第１外側連通路１０３は、埋設管ＰＩ内の空洞部Ｈ内における第１メイン連通路１０１に対して第２メイン連通路１１１とは反対側、すなわち、隔壁内側空間Ｈ１の外側に隣接する空洞部Ｈ側に形成される。
【００２５】
この第１外側連通路１０３は、地中ＵＧに縦穴を掘削する図示しないボーリングマシンを用いて形成した貫通孔内に塩化ビニルなどの樹脂製のパイプ（直径７５ｍｍ）からなる保孔管（図示せず）を挿入して形成される。この第１外側連通路１０３を形成する工程が、本発明に係る外側通路形成工程に相当する。
【００２６】
次に、作業者は、第４工程として、第２メイン連通路１１１を形成する。第２メイン連通路１１１は、図６に示すように、隔壁内側空間Ｈ１の外縁部上における前記第１メイン連通路１０１と異なる位置で隔壁用埋戻し材Ｍ１を注入するために地表面Ｇと埋設管ＰＩとの間で連通した貫通孔である。この場合、第２メイン連通路１１１の形成位置は、空洞部Ｈ内において第１メイン連通路１０１対して所定の距離だけ離隔した位置である。ここで、この所定の距離とは、空洞部Ｈ内で形成する隔壁内側空間Ｈ１の埋設管ＰＩの軸方向での長さであり、埋設管ＰＩの長さ、内径、材質、埋設深さおよび劣化の進度などに応じて適宜決定される。
【００２７】
この第２メイン連通路１１１は、前記第１メイン連通路１０１と同様に、地中ＵＧに縦穴を掘削する図示しないボーリングマシンを用いて形成した貫通孔内に塩化ビニルなどの樹脂製のパイプ（直径７５ｍｍ）からなる保孔管（図示せず）を挿入して形成される。この第２メイン連通路１１１を形成する工程が、本発明に係るメイン通路形成工程に相当する。
【００２８】
次に、作業者は、第５工程として、第２内側連通路１１２を形成する。第２内側連通路１１２は、前記第１内側連通路１０２と同様に、埋設管ＰＩ内における隔壁内側空間Ｈ１内に撮像器１２０を配置するとともに、隔壁内側空間Ｈ１内に埋戻し材Ｍを注入または隔壁内側空間Ｈ１内の残留物Ｚを排出するために地表面Ｇと埋設管ＰＩとの間で連通した貫通孔である。この場合、第２内側連通路１１２は、埋設管ＰＩにおける第２メイン連通路１１１に対して第１メイン連通路１０１側、すなわち、隔壁内側空間Ｈ１が形成される側に形成される。
【００２９】
この第２内側連通路１１２は、地中ＵＧに縦穴を掘削する図示しないボーリングマシンを用いて形成した貫通孔内に塩化ビニルなどの樹脂製のパイプ（直径７５ｍｍ）からなる保孔管（図示せず）を挿入して形成される。この第２内側連通路１１２を形成する工程が、本発明に係る内側通路形成工程に相当する。
【００３０】
次に、作業者は、第６工程として、第２外側連通路１１３を形成する。第２外側連通路１１３は、前記第１外側連通路１０３と同様に、埋設管ＰＩ内の空洞部Ｈにおける隔壁内側空間Ｈ１の外側に後述する照明具１２１を配置するために地表面Ｇと埋設管ＰＩとの間で連通した貫通孔である。この場合、第２外側連通路１１３は、埋設管ＰＩ内の空洞部Ｈ内における第２メイン連通路１１１に対して第１メイン連通路１０１とは反対側、すなわち、隔壁内側空間Ｈ１の外側に隣接する空洞部Ｈ側に形成される。
【００３１】
この第２外側連通路１１３は、地中ＵＧに縦穴を掘削する図示しないボーリングマシンを用いて形成した貫通孔内に塩化ビニルなどの樹脂製のパイプ（直径７５ｍｍ）からなる保孔管（図示せず）を挿入して形成される。この第２外側連通路１１３を形成する工程が、本発明に係る外側通路形成工程に相当する。
【００３２】
次に、作業者は、第７工程として、第１隔壁Ｗ１を形成する。第１隔壁Ｗ１は、図６〜図１１にそれぞれ示すように、埋設管ＰＩ内の空洞部Ｈ内に第２隔壁Ｗ２と協働して隔壁内側空間Ｈ１を形成するために埋設管ＰＩ内の底部から天井部までを閉塞する壁体である。この第１隔壁Ｗ１の形成工程は、次のサブステップ１〜サブステップ４の各工程によって構成されている。
【００３３】
サブステップ１：まず、作業者は、図７に示すように、第１内側連通路１０２および第１外側連通路１０３を介して埋設管ＰＩの空洞部Ｈ内に撮像器１２０および照明具１２１をそれぞれ配置する。
【００３４】
ここで、撮像器１２０は、埋設管ＰＩ内の空洞部Ｈ内にて第１隔壁Ｗ１の形成過程を撮像するための撮像装置であり、主として、水中でも動画の撮影が可能な撮像器本体、撮像器本体を遠隔操作する操作子および撮像画像を表示する液晶表示装置を備えた操作パネル装置、および撮像器本体と液晶表示装置とを電気的に接続する配線を備えて構成されている。この場合、撮像器本体は、ＣＣＤ（Charge Coupled Device）イメージセンサを備えて構成されているが、第１隔壁Ｗ１の形成過程を撮像した撮像画像情報を出力できればよく、ＣＣＤイメージセンサ以外の撮像素子、例えば、ＣＭＯＳ（Complementary Metal Oxide Semiconductor）イメージセンサなどであってもよい。また、撮像器本体は、カラーの撮像画像情報のほか、モノクロの撮像画像情報を出力するものであってもよい。
【００３５】
照明具１２１は、埋設管ＰＩ内の空洞部Ｈ内にて第１隔壁Ｗ１の形成領域を照らす器具であり、主として、水中でも発光することができる照明本体、照明本体を遠隔操作する操作子、および照明本体と操作子とを電気的に接続する配線を備えて構成されている。この場合、照明本体は、ＬＥＤのほか、ハロゲンランプ、白熱電球または蛍光灯などで構成することができる。なお、撮像器１２０および照明具１２１は、それぞれ電源設備を備えていることは当然である。
【００３６】
作業者は、第１内側連通路１０２を介して撮像器１２０を埋設管ＰＩ内の空洞部Ｈ内に配置するとともに、第１外側連通路１０３を介して照明具１２１を埋設管ＰＩ内の空洞部Ｈ内に配置する。この場合、作業者は、撮像器１２０を埋設管ＰＩ内の空洞部Ｈ内にて第１メイン連通路１０１が開口する開口部１０１ａおよびその周辺の天井部分が撮像範囲に入るように配置する。また、作業者は、照明具１２１を埋設管ＰＩ内の空洞部Ｈにて第１メイン連通路１０１が開口する開口部１０１ａおよびその周辺の天井部分を照らすように配置する。これにより、撮像器１２０と照明具１２１とは、埋設管ＰＩ内の上部側で開口部１０１ａを挟んで対向配置される。この撮像器１２０および照明具１２１を第１内側連通路１０２および第１外側連通路１０３をそれぞれ介して埋設管ＰＩ内に配置する工程が、本発明に係る撮像器具配置工程に相当する。
【００３７】
サブステップ２：次に、作業者は、第１隔壁Ｗ１の成形作業を開始する。具体的には、作業者は、隔壁用埋戻し材Ｍ１を貯留するとともにこの貯留した隔壁用埋戻し材Ｍ１を吐出するポンプ設備ＰＵを用意した後、このポンプ設備ＰＵの吐出管を第１メイン連通路１０１の図示上端部に接続する。
【００３８】
ここで、ポンプ設備ＰＵは、隔壁用埋戻し材Ｍ１を貯留するとともにこの貯留した隔壁用埋戻し材Ｍ１を吐出するように構成されていれば特に限定されるものではなく従来から用いられている装置を広く用いることができるが、本実施形態においては、隔壁用埋戻し材Ｍ１を貯留する貯留槽およびこの貯留槽から隔壁用埋戻し材Ｍ１を汲み上げて吐出するポンプを備えたポンプ設備ＰＵである。
【００３９】
また、隔壁用埋戻し材Ｍ１は、第１隔壁Ｗ１を成形するための材料であり、土質材料を水で溶かした泥水に消石灰、セメントまたはモルタルなどの固化剤を加えてスラリー状に形成されている。この、隔壁用埋戻し材Ｍ１は、必要に応じて珪酸ソーダなどの急結材（増粘剤）が添加される。また、土質材料は、砂キラや粘度キラで構成されるが、これらは工事現場から生じた建設発生土、コンクリート殻、アスファルト殻、砕石または山土から抽出される。
【００４０】
作業者は、ポンプ設備ＰＵを操作して隔壁用埋戻し材Ｍ１を出力させることで埋設管ＰＩ内の空洞部Ｈ内に隔壁用埋戻し材Ｍ１を吐出させる。これにより、埋設管ＰＩ内の空洞部Ｈ内では、スラリー状の隔壁用埋戻し材Ｍ１が山状に堆積していき、山状に堆積した隔壁用埋戻し材Ｍ１の頂上部が次第に埋設管ＰＩ内の天井部分に近づいていく。この場合、作業者は、撮像器１２０における操作パネル装置のモニタを介して埋設管ＰＩ内の空洞部Ｈ内における隔壁用埋戻し材Ｍ１の堆積過程を確認することができる。この埋設管ＰＩ内に隔壁用埋戻し材Ｍ１を注入する工程が、本発明に係る隔壁用埋戻し材注入工程に相当する。
【００４１】
サブステップ３：次に、作業者は、第１隔壁Ｗ１の成形作業を終了する。具体的には、作業者は、図８に示すように、撮像器１２０における操作パネル装置のモニタを介して山状に堆積した隔壁用埋戻し材Ｍ１の頂上部が埋設管ＰＩ内の天井部分に達したことを確認した場合には、ポンプ設備ＰＵを操作して隔壁用埋戻し材Ｍ１の出力を停止させる。この場合、作業者は、埋設管ＰＩ内の残留物Ｚである水が濁っていない場合には、隔壁用埋戻し材Ｍ１の頂上部が埋設管ＰＩ内の天井部分に達したことを撮像器１２０によって撮像された画像で直接確認することができる。
【００４２】
一方、作業者は、埋設管ＰＩ内の残留物Ｚである水が濁っている場合には、撮像器１２０によって撮像された画像において照明具１２１から照射された光が埋設管ＰＩ内の天井部分に達した隔壁用埋戻し材Ｍ１によって遮られて見えなくなることで隔壁用埋戻し材Ｍ１の頂上部が埋設管ＰＩ内の天井部分に達したことを間接的に確認することができる。この隔壁用埋戻し材Ｍ１の注入を停止する工程が、本発明に係る注入中断工程に相当する。
【００４３】
サブステップ４：次に、作業者は、第１隔壁Ｗ１の成形を待つ。具体的には、作業者は、空洞部Ｈ内に配置されている撮像器１２０および照明具１２１を第１内側連通路１０２および第１外側連通路１０３を介して抜き取って撤去するとともに、ポンプ設備ＰＵの吐出管を第１メイン連通路１０１から取り外す。そして、作業者は、埋設管ＰＩ内で隔壁用埋戻し材Ｍ１が固化して第１隔壁Ｗ１が形成されるまで待つ。この場合、隔壁用埋戻し材Ｍ１が固化するために必要な時間は、形成する第１隔壁Ｗ１の大きさによるが概ね数時間から数十時間である。この場合、第１メイン連通路１０１内に残留した隔壁用埋戻し材Ｍ１も固化する。
【００４４】
次に、作業者は、第８工程として、第２隔壁Ｗ２を形成する。第２隔壁Ｗ２は、図９〜図１１にそれぞれ示すように、埋設管ＰＩ内の空洞部Ｈ内に第１隔壁Ｗ１と協働して隔壁内側空間Ｈ１を形成するために埋設管ＰＩ内の底部から天井部までを閉塞する壁体である。この第２隔壁Ｗ２の形成工程は、前記第１隔壁Ｗ１の形成工程と同様であり、次のサブステップ１〜サブステップ４の各工程によって構成されている。なお、この第２隔壁Ｗ２の形成工程は、前記第１隔壁Ｗ１の形成工程と同様であるため、その説明は適宜省略する。
【００４５】
サブステップ１：まず、作業者は、第２内側連通路１１２および第２外側連通路１１３を介して埋設管ＰＩの空洞部Ｈ内に撮像器１２０および照明具１２１をそれぞれ配置する。具体的には、作業者は、第２内側連通路１１２を介して撮像器１２０を埋設管ＰＩ内の空洞部Ｈ内に配置するとともに、第２外側連通路１１３を介して照明具１２１を埋設管ＰＩ内の空洞部Ｈ内に配置する。これにより、撮像器１２０と照明具１２１とは、埋設管ＰＩ内の上部側で第２メイン連通路１１１の開口部１１１ａを挟んで対向配置される。この撮像器１２０および照明具１２１を第２内側連通路１１２および第２外側連通路１１３をそれぞれ介して埋設管ＰＩ内に配置する工程が、本発明に係る撮像器具配置工程に相当する。
【００４６】
サブステップ２：次に、作業者は、第２隔壁Ｗ２の成形作業を開始する。具体的には、作業者は、前記ポンプ設備ＰＵを用意した後、このポンプ設備ＰＵの吐出管を第２メイン連通路１１１の図示上端部に接続する。そして、作業者は、ポンプ設備ＰＵを操作して隔壁用埋戻し材Ｍ１を出力させることで埋設管ＰＩ内の空洞部Ｈ内に隔壁用埋戻し材Ｍ１を吐出させる。これにより、埋設管ＰＩ内の空洞部Ｈ内では、スラリー状の隔壁用埋戻し材Ｍ１が山状に堆積していき、山状に堆積した隔壁用埋戻し材Ｍ１の頂上部が次第に埋設管ＰＩ内の天井部分に近づいていく。この場合、作業者は、撮像器１２０における操作パネル装置のモニタを介して埋設管ＰＩ内の空洞部Ｈ内における隔壁用埋戻し材Ｍ１の堆積過程を確認することができる。この埋設管ＰＩ内に隔壁用埋戻し材Ｍ１を注入する工程が、本発明に係る隔壁用埋戻し材注入工程に相当する。
【００４７】
サブステップ３：次に、作業者は、第２隔壁Ｗ２の成形作業を終了する。具体的には、作業者は、撮像器１２０における操作パネル装置のモニタを介して山状に堆積した隔壁用埋戻し材Ｍ１の頂上部が埋設管ＰＩ内の天井部分に達したことを確認した場合には、ポンプ設備ＰＵを操作して隔壁用埋戻し材Ｍ１の出力を停止させる。この隔壁用埋戻し材Ｍ１の注入を停止する工程が、本発明に係る注入中断工程に相当する。
【００４８】
サブステップ４：次に、作業者は、第２隔壁Ｗ２の成形を待つ。具体的には、作業者は、空洞部Ｈ内に配置されている撮像器１２０および照明具１２１を第２内側連通路１１２および第２外側連通路１１３を介して抜き取って撤去するとともに、ポンプ設備ＰＵの吐出管を第２メイン連通路１１１から取り外す。そして、作業者は、埋設管ＰＩ内で隔壁用埋戻し材Ｍ１が固化して第２隔壁Ｗ２が形成されるまで待つ。この場合、隔壁用埋戻し材Ｍ１が固化するために必要な時間は、形成する第２隔壁Ｗ２の大きさによるが概ね数時間から数十時間である。この場合、第２メイン連通路１１１内に残留した隔壁用埋戻し材Ｍ１も固化する。
【００４９】
この第２隔壁Ｗ２の形成によって、第１隔壁Ｗ１との間に隔壁内側空間Ｈ１が形成される。この場合、隔壁内側空間Ｈ１は、埋設管ＰＩ内においては第１隔壁Ｗ１および第２隔壁Ｗ２を介して隣接する空洞部Ｈに対しては連通されず隔絶されているが、第１内側連通路１０２および第２内側連通路１１２をそれぞれ介して地表面Ｇに連通している。
【００５０】
次に、作業者は、第９工程として、隔壁内側空間Ｈ１内に埋戻し材Ｍを注入する。具体的には、作業者は、図１０に示すように、隔壁内側空間Ｈ１内に充填する埋戻し材Ｍを貯留して吐出するポンプ設備ＰＵを用意した後、このポンプ設備ＰＵの吐出管を第１内側連通路１０２および第２内側連通路１１２のうちの一方の図示上端部に接続する。この場合、本実施形態においては、隔壁内側空間Ｈ１に注入する埋戻し材Ｍは、前記隔壁用埋戻し材Ｍ１と同じものである。したがって、使用者は、前記隔壁用埋戻し材Ｍ１を吐出するポンプ設備ＰＵを用意すればよい。また、ポンプ設備ＰＵの吐出管は、本実施形態においては、第１内側連通路１０２に接続される。なお、図１０および図１１においては、埋戻し材Ｍと隔壁用埋戻し材Ｍ１とを互いに異なる濃度のハッチングで示している。
【００５１】
次いで、作業者は、ポンプ設備ＰＵを操作して埋戻し材Ｍを出力させることで埋設管ＰＩ内の空洞部Ｈ内に埋戻し材Ｍを吐出させる。これにより、埋設管ＰＩ内の隔壁内側空間Ｈ１内では、スラリー状の隔壁用埋戻し材Ｍ１が堆積していき、堆積した隔壁用埋戻し材Ｍ１の頂上部が次第に埋設管ＰＩ内の天井部分に近づいていく。この場合、図１０の破線矢印で示すように、隔壁内側空間Ｈ１内に残留している残留物Ｚとしての水は第２内側連通路１１２を介して地表面Ｇに排出される。
【００５２】
すなわち、隔壁内側空間Ｈ１内の残留物Ｚは埋戻し材Ｍに押されて第２内側連通路１１２を介して地表面Ｇに排出され続け、最終的には、埋戻し材Ｍ自体が第２内側連通路１１２を介して地表面Ｇに排出される。したがって、作業者は、第２内側連通路１１２を介して地表面Ｇに埋戻し材Ｍが排出されることを確認することで隔壁内側空間Ｈ１内および第２内側連通路１１２内にそれぞれ埋戻し材Ｍが充填されたこと把握することができる。
【００５３】
作業者は、図１１に示すように、第２内側連通路１１２を介して地表面Ｇに埋戻し材Ｍが排出された場合には、隔壁内側空間Ｈ１内および第２内側連通路１１２内にそれぞれ埋戻し材Ｍが充填されたと判断してポンプ設備ＰＵを操作して埋戻し材Ｍの出力を停止させる。そして、作業者は、ポンプ設備ＰＵの吐出管を第１内側連通路１０２から取り外す。この場合、第１内側連通路１０２内は、埋戻し材Ｍが充填されている。この隔壁内側空間Ｈ１内に埋戻し材Ｍを注入する工程が、本発明に係る隔壁内側空間埋戻し材注入工程に相当する。
【００５４】
この後、作業者は、埋設管ＰＩ内で埋戻し材Ｍが固化するまで待つ。この場合、埋戻し材Ｍが固化するために必要な時間は、注入した埋戻し材Ｍの量よるが概ね数時間から数十時間である。そして、作業者は、地表面Ｇを原状復帰させるなどの後処理を行って埋設管の埋め戻し作業を終了する。この地表面Ｇを原状復帰させるなどの後処理は、本発明に直接関わらないため、その説明は省略する。なお、作業者は、埋設管ＰＩ内に形成した第１隔壁Ｗ１および第２隔壁Ｗ２に対して所定の間隔を介して第１隔壁Ｗ１および第２隔壁Ｗ２と同様の隔壁Ｗを構築して隔壁内側空間Ｈ１を形成した後、この隔壁内側空間Ｈ１内に埋戻し材Ｍを充填することで埋設管ＰＩ全体を埋設処理することができる。
【００５５】
上記作動説明からも理解できるように、上記実施形態によれば、この埋め戻し方法は、空洞部Ｈ内に隔壁用埋戻し材Ｍ１を注入する第１メイン連通路１０１に対して隔壁内側空間Ｈ１の内側と外側とにそれぞれ設けた第１内側連通路１０２および第１外側連通路１０３をそれぞれ介して第１メイン連通路１０１が空洞部Ｈ内に開口する開口部１０１ａを撮像するための撮像器１２０および照明具１２１を設置している。これにより、本発明に係る埋め戻し方法によれば、隔壁用埋戻し材Ｍ１が空洞部Ｈにおける第１メイン連通路１０１の開口部１０１ａ、すなわち、天井部分に達したか否かを撮像器１２０による撮像画像で確認することができるため、第１隔壁Ｗ１を精度良く形成して埋戻し材Ｍが漏出することを防止することができる。なお、第２隔壁Ｗ２を形成するための第２メイン連通路１１１、第２内側連通路１１２および第２外側連通路１１３も同様の効果を奏する。
【００５６】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００５７】
例えば、上記実施形態においては、作業者は、第７工程および第８工程における第１隔壁Ｗ１および第２隔壁Ｗ２の各形成工程において隔壁用埋戻し材Ｍ１を直接空洞部Ｈ内に注入した。しかし、作業者は、図１２〜図１４にそれぞれ示すように、第１隔壁Ｗ１および第２隔壁Ｗ２の各形成工程において空洞部Ｈ内に隔壁形成袋１３０を配置してこの隔壁形成袋１３０内に隔壁用埋戻し材Ｍ１を注入して第１隔壁Ｗ１および第２隔壁Ｗ２をそれぞれ形成することができる。
【００５８】
ここで、隔壁形成袋１３０は、隔壁用埋戻し材Ｍ１が注入されて第１隔壁Ｗ１および第２隔壁Ｗ２をそれぞれ形成するための部品であり、柔軟なシート材を袋状に形成して構成されている。この場合、隔壁形成袋１３０は、土嚢を構成する布製または樹脂製のシート材のように伸縮性の乏しい材料で構成されていてもよいが、ゴム製のシート材のように伸縮性を有する材料で構成されるとよい。
【００５９】
まず、作業者は、図１２に示すように、隔壁形成袋１３０を用意した後、この隔壁形成袋１３０をポンプ設備ＰＵの吐出管に中間パイプ１３１を介して接続する。この場合、中間パイプ１３１は、保孔管と同様の塩化ビニル製の円筒管であり、第１内側連通路１０２および第２内側連通路１１２を構成する保孔管よりも小径に形成されている。また、中間パイプ１３１は、第１メイン連通路１０１と略同じ長さに形成される。
【００６０】
次に、作業者は、上記サブステップ１における第１内側連通路１０２および第１外側連通路１０３を介して埋設管ＰＩの空洞部Ｈ内に撮像器１２０および照明具１２１をそれぞれ配置した後、第１内側連通路１０２を介して空洞部Ｈ内に隔壁形成袋１３０を配置する。次に、作業者は、ポンプ設備ＰＵを操作して隔壁用埋戻し材Ｍ１を出力させることで埋設管ＰＩ内の隔壁形成袋１３０内に隔壁用埋戻し材Ｍ１を吐出させる（隔壁用埋戻し材注入工程）。
【００６１】
これにより、埋設管ＰＩ内の隔壁形成袋１３０は、スラリー状の隔壁用埋戻し材Ｍ１が充満して膨らんでいき、膨らんだ隔壁形成袋１３０の頂上部が次第に埋設管ＰＩ内の天井部分に近づいていく。この場合、作業者は、撮像器１２０における操作パネル装置のモニタを介して埋設管ＰＩ内の空洞部Ｈ内における隔壁形成袋１３０の膨張過程を確認することができる。
【００６２】
したがって、作業者は、撮像器１２０における操作パネル装置のモニタを介して膨張した隔壁形成袋１３０の頂上部が埋設管ＰＩ内の天井部分に達したことを確認した場合には、ポンプ設備ＰＵを操作して隔壁用埋戻し材Ｍ１の出力を停止させる（注入中断工程）。この場合、作業者は、埋設管ＰＩ内の残留物Ｚである水が濁り難いため隔壁形成袋１３０の頂上部が埋設管ＰＩ内の天井部分に達したことを容易に確認することができる。また、作業者は、隔壁用埋戻し材Ｍ１が隔壁形成袋１３０によって拡散し難いためより少ない量の隔壁用埋戻し材Ｍ１で短時間に第１隔壁Ｗ１を形成することができる。
【００６３】
次に、作業者は、第１隔壁Ｗ１の成形を待つ。具体的には、作業者は、空洞部Ｈ内に配置されている撮像器１２０および照明具１２１を第１内側連通路１０２および第１外側連通路１０３を介して抜き取って撤去するとともに、ポンプ設備ＰＵの吐出管を中間パイプ１３１から取り外す。そして、作業者は、埋設管ＰＩ内で隔壁形成袋１３０内の隔壁用埋戻し材Ｍ１が固化して第１隔壁Ｗ１が形成されるまで待つ。この場合、作業者は、隔壁用埋戻し材Ｍ１が隔壁形成袋１３０によって空洞部Ｈ内の残留物Ｚである水と隔離されるため、より短時間に固化させることができる。
【００６４】
また、作業者は、ポンプ設備ＰＵの吐出管を中間パイプ１３１から取り外した場合には、中間パイプ１３１が残存している第１内側連通路１０２内に隔壁用埋戻し材Ｍ１を充填して第１内側連通路１０２を埋設処理することができる。この場合、作業者は、ポンプ設備ＰＵの吐出管を中間パイプ１３１から取り外した後に直ちに第１内側連通路１０２内に隔壁用埋戻し材Ｍ１を充填してもよいが、隔壁形成袋１３０内の隔壁用埋戻し材Ｍ１が固化して第１隔壁Ｗ１が形成された後に第１内側連通路１０２内に隔壁用埋戻し材Ｍ１を充填するとよい。
【００６５】
そして、作業者は、図１３に示すように、第２隔壁Ｗ２についても第２メイン連通路１１１、第２内側連通路１１２および第２外側連通路１１３を用いて第１隔壁Ｗ１と同様の手順で形成することができる。これにより、埋設管ＰＩ内には、隔壁形成袋１３０で包皮された第１隔壁Ｗ１と第２隔壁Ｗ２との間の隔壁内側空間Ｈ１が形成される。
【００６６】
したがって、作業者は、図１４に示すように、上記第９工程と同様に、隔壁内側空間Ｈ１内に埋戻し材Ｍを注入することで埋設管ＰＩを埋設処理することができる。この場合、第１隔壁Ｗ１および第２隔壁Ｗ２は、隔壁内側空間Ｈ１内に注入された埋戻し材Ｍから圧迫を受けた場合には隔壁形成袋１３０がゴム製の袋体で構成されているため、埋設管ＰＩの内周面との摩擦抵抗が大きく位置ずれが防止される。
【００６７】
また、上記実施形態においては、第１内側連通路１０２および第２内側連通路１１２に対してそれぞれ撮像器１２０を挿入するとともに、第１外側連通路１０３および第２外側連通路１１３に対して照明具１２１を挿入した。しかし、第１内側連通路１０２および第２内側連通路１１２に対してそれぞれ照明具１２１を挿入するとともに、第１外側連通路１０３および第２外側連通路１１３に対して撮像器１２０を挿入してもよい。
【００６８】
また、上記実施形態においては、第１内側連通路１０２を埋戻し材Ｍを注入する注入孔として利用するとともに第２内側連通路１１２を隔壁内側空間Ｈ１内の残留物Ｚを排出する排出孔として利用した。しかし、第２内側連通路１１２を埋戻し材Ｍを注入する注入孔として利用するとともに第１内側連通路１０２を隔壁内側空間Ｈ１内の残留物Ｚを排出する排出孔として利用することもできる。また、第１内側連通路１０２および第２内側連通路１１２とは別に地表面Ｇと隔壁内側空間Ｈ１とを連通させる孔を設けて注入孔および排出孔とすることもできる。
【００６９】
また、上記実施形態においては、埋設管ＰＩの２つの位置に第１隔壁Ｗ１および第２隔壁Ｗ２をそれぞれ構築して隔壁内側空間Ｈ１を形成した。しかし、埋設管ＰＩの長さが短い場合や隔壁内側空間Ｈ１を形成する部分に埋設管ＰＩの内周面などの第１隔壁Ｗ１または第２隔壁Ｗ２に相当する部分が既に存在している場合などには、埋設管ＰＩ内に第１隔壁Ｗ１および第２隔壁Ｗ２のうちの一方の隔壁を形成することでこの隔壁の両側にそれぞれ隔壁内側空間Ｈ１を形成することができる。すなわち、本発明に係る埋め戻し方法は、それぞれ１つずつのメイン連通路、内側連通路および外側連通路を形成するようにすればよい。
【００７０】
また、上記実施形態においては、第１メイン連通路１０１、第１内側連通路１０２、第１外側連通路１０３、第２メイン連通路１１１、第２内側連通路１１２および第２外側連通路１１３は、地中ＵＧに形成した縦穴内に保孔管を挿入して構成した。しかし、第１メイン連通路１０１、第１内側連通路１０２、第１外側連通路１０３、第２メイン連通路１１１、第２内側連通路１１２および第２外側連通路１１３は、地中ＵＧに形成した縦穴のみで構成することもできる。
【００７１】
また、上記実施形態においては、第１隔壁Ｗ１および第２隔壁Ｗ２をそれぞれ形成した隔壁用埋戻し材Ｍ１と隔壁内側空間Ｈ１内に充填した埋戻し材Ｍとを同一の組成の材料とした。しかし、第１隔壁Ｗ１および第２隔壁Ｗ２をそれぞれ形成した隔壁用埋戻し材Ｍ１と隔壁内側空間Ｈ１内に充填した埋戻し材Ｍとを互いに異なる組成の材料とすることもできる。
【００７２】
また、上記実施形態においては、隔壁用埋戻し材Ｍ１が空洞部Ｈの天井部分に達したか否かの確認は、作業者が撮像器１２０のモニタを直接目視によって行うようにした。しかし、隔壁用埋戻し材Ｍ１が空洞部Ｈの天井部分に達したか否かの確認は、撮像器１２０による撮像画像をコンピュータによる画像処理によって行うようにしてもよい。例えば、コンピュータは、撮像器１２０による撮像画像を輝度による二値化を行って暗部が所定量以上に達したまたは明部が所定量以下になったことで隔壁用埋戻し材Ｍ１が空洞部Ｈの天井部分に達したか否かを判定することができる。
【００７３】
また、上記実施形態においては、本発明係る埋め戻し方法を実施する施工現場は、埋設管ＰＩ内に水からなる残留物Ｚが充満していることを前提とした。しかし、埋設管ＰＩ内には、水が充満に満たない量で残存していてもよいことは当然である。また、埋設管ＰＩ内には、水以外の残留物Ｚ、例えば、汚泥や土が残存していてもよい。また、埋設管ＰＩ内には、液体や固体の残留物Ｚが存在せず空気などの気体の残留物Ｚのみが存在していてもよい。
【００７４】
また、上記実施形態においては、本発明係る埋め戻し方法は、地中ＵＧに埋設された埋設管ＰＩ内の空洞部Ｈに対して行うようにした。しかし、本発明係る埋め戻し方法は、地中ＵＧに直接形成されたトンネル、廃鉱または戦時中の地下壕のなどの空洞部Ｈに対して行うこともできる。
【符号の説明】
【００７５】
Ｇ…地表面、ＵＧ…地中、ＰＩ…埋設管、Ｈ…空洞部、Ｈ１…隔壁内側空間、Ｍ…埋戻し材、Ｍ１…隔壁用埋戻し材、ＰＵ…ポンプ設備、Ｗ１…第１隔壁、Ｗ２…第２隔壁、Ｚ…残留物、
１０１…第１メイン連通路、１０１ａ…開口部、１０２…第１内側連通路、１０３…第１外側連通路、
１１１…第２メイン連通路、１１１ａ…開口部、１１２…第２内側連通路、１１３…第２外側連通路、
１２０…撮像器、１２１…照明具、
１３０…隔壁形成袋、１３１…中間パイプ。
【図１】
2020079507.tif 000003
【図２】
2020079507.tif 000004
【図３】
2020079507.tif 000005
【図４】
2020079507.tif 000006
【図５】
2020079507.tif 000007
【図６】
2020079507.tif 000008
【図７】
2020079507.tif 000009
【図８】
2020079507.tif 000010
【図９】
2020079507.tif 000011
【図１０】
2020079507.tif 000012
【図１１】
2020079507.tif 000013
【図１２】
2020079507.tif 000014
【図１３】
2020079507.tif 000015
【図１４】
2020079507.tif 000016
【手続補正書】
【提出日】平成31年2月6日(2019.2.6)
【手続補正１】
【補正対象書類名】特許請求の範囲
【補正対象項目名】請求項２
【補正方法】変更
【補正の内容】
【請求項２】
請求項１に記載した埋め戻し方法において、
前記隔壁内側空間埋戻し材注入工程は、
前記撮像器または前記照明具を撤去した前記内側連通路を介して前記隔壁内側空間内に埋戻し材を充填することを特徴とする埋め戻し方法。
【手続補正２】
【補正対象書類名】特許請求の範囲
【補正対象項目名】請求項３
【補正方法】変更
【補正の内容】
【請求項３】
請求項１または請求項２に記載した埋め戻し方法において、
前記空洞部は、地中に埋設された埋設管内に形成されており、
前記メイン連通路形成工程、前記内側連通路形成工程、前記外側連通路形成工程、前記撮像器具設置工程、前記隔壁用埋戻し材注入工程および前記注入中断工程は、
前記埋設管における互いに離隔した２つの位置でそれぞれ実行されることで２つの前記隔壁間に前記隔壁内側空間を形成するものであり、
前記隔壁内側空間埋戻し材注入工程は、
前記２つの隔壁の形成に用いた前記各内側連通路から前記撮像器または前記照明具をそれぞれ撤去した後、一方の前記内側連通路を介して前記隔壁内側空間内に埋戻し材を充填するとともに他方の前記内側連通路を介して前記隔壁内側空間内の残留物を排出することを特徴とする埋め戻し方法。
【手続補正３】
【補正対象書類名】明細書
【補正対象項目名】０００９
【補正方法】変更
【補正の内容】
【０００９】
また、本発明の他の特徴は、前記埋め戻し方法において、隔壁内側空間埋戻し材注入工程は、撮像器または照明具を撤去した内側連通路を介して隔壁内側空間内に埋戻し材を充填することにある。
【手続補正４】
【補正対象書類名】明細書
【補正対象項目名】００１１
【補正方法】変更
【補正の内容】
【００１１】
また、本発明の他の特徴は、前記埋め戻し方法において、空洞部は、地中に埋設された埋設管内に形成されており、メイン連通路形成工程、内側連通路形成工程、外側連通路形成工程、撮像器具設置工程、隔壁用埋戻し材注入工程および注入中断工程は、埋設管における互いに離隔した２つの位置でそれぞれ実行されることで２つの隔壁間に隔壁内側空間を形成するものであり、隔壁内側空間埋戻し材注入工程は、前記２つの隔壁の形成に用いた各内側連通路から撮像器または照明具をそれぞれ撤去した後、一方の内側連通路を介して隔壁内側空間内に埋戻し材を充填するとともに他方の内側連通路を介して隔壁内側空間内の残留物を排出することにある。
【手続補正５】
【補正対象書類名】明細書
【補正対象項目名】００１６
【補正方法】変更
【補正の内容】
【００１６】
このように構成した本発明の他の特徴によれば、埋め戻し方法は、隔壁形成袋が伸縮性を有するゴム材で構成されているため、埋設管内の形状に応じて変形して同管内を精度良く塞ぐことができるとともに埋設管の内周面に対して高い摩擦力で接触することで隔壁内側空間埋戻し材注入工程時における隔壁の埋設管内での位置ずれを防止することができる。